(57)【要約】【目的】素材の板の厚さを大きくして走行時の風圧によっては舞い上がりにくくするとともに、自動車から降りなくてもサイドミラーへの取り付けが簡単にできる上、遠くからでも視認しやすいお知らせマークを提供することをその目的とするものである。【構成】走行時の風圧によって舞い上がらない重さであって、自動車の車体を傷付けない弾性表面を備えたお知らせマーク本体、およびその上端に設けた穴に通して自動車のサイドミラーにはめ込む伸縮可能な弾性紐とを備え、前記板状本体の表面に、前後の自動車の運転者や駐車場の係員の目印となる表示面を形成したことを特徴とするお知らせマークである。【選択図】図１
0003161682.tif 000002
【実用新案登録請求の範囲】
【請求項１】
走行時の風圧によって舞い上がらない重さであって、自動車の車体を傷付けない弾性表面を備えたお知らせマーク本体、およびその上端に設けた穴に通して自動車のサイドミラーの上下のフレーム部分にはめ込むフックを両端に取り付けた伸縮可能な弾性紐とを備え、前記お知らせマーク本体の表面に、前後の自動車の運転者や駐車場の係員の目印となる表示面を形成したことを特徴とするお知らせマーク。
【請求項２】
走行時の風圧によって舞い上がらない重さのお知らせマーク本体は、板状本体もしくは立体状本体からなることを特徴とする請求項１記載のお知らせマーク。
【請求項３】
走行時の風圧によって舞い上がらない重さのお知らせマーク本体は、当該重さを金属等の素材の重さ、もしくは素材の厚さによって得ていることを特徴とする請求項１記載のお知らせマーク。
【請求項４】
前後の自動車の運転者や駐車場の係員の目印となる表示面は、再帰反射性の反射層の形成、もしくは駐車マークその他の文字、図形、記号等の印刷やシールを貼付する等の平面形状や、凹凸その他の立体形状で構成することを特徴とする請求項１記載のお知らせマーク。
【考案の詳細な説明】
【技術分野】
【０００１】
本考案は、各種イベント会場へ向かう自動車のサイドミラーに取り付けて、車外の人に対してイベントへ参加する自動車であることを伝達するためのお知らせマークに関するものである。
【背景技術】
【０００２】
各種の音楽やスポーツイベント、販売フェア、寺社その他の祭事等で、イベント会場へ向かう自動車は、時間的な制約や、道路状況、駐車場の広さなどで問題が多いために道路が非常に混雑する状態が多発しており、自動車の誘導員、警備員は駐車場への案内に苦労しているのが現状である。
【０００３】
実用新案登録第３００２２８４号公報（特許文献１参照）には、車外の者に迷惑をかける場合だけでなく、たとえば同乗してきた友人に、自分の外出先や予定変更等を知らせたり、外部の者に駐車理由を知らせて、放置車ではないことを知らせる等、車内に適宜に表示できるメッセージ板が記載されている。
また実用新案登録第３１４２０４７号公報（特許文献２参照）には、自動車運転に於ける小集団行動に於いて、自分達の運転行為を関係のない他車輌の運転者に周辺秩序を保ちつつ知らしめる標識リボンであって、多色リボンテープを短冊状に裁断し、リボン色の組合せを葬儀であれば白・黒又は白・青等の如く行事を表す代表色で複数本たばね、吊り下げられるように上部にヒモ様部分を施し自動車のサイドミラーの根元などに簡単に取り付けられるようにした標識リボンが記載されている。
【０００４】
そこで本件出願人は実願２０１０−１２６２号（実用新案登録第３１５９４３１号公報  特許文献３参照）において、走行時の風圧によって舞い上がらない重さであって、自動車の車体を傷付けない弾性表面を備えたお知らせマーク本体、およびその上端に設けた穴に通して自動車のサイドミラーにはめ込む伸縮可能な弾性紐とを備え、前記お知らせマーク本体の表面に、前後の自動車の運転者や駐車場の係員の目印となる表示面を形成したことを特徴とするお知らせマークを提案した。
【先行技術文献】
【特許文献】
【０００５】
【特許文献１】実用新案登録第３００２２８４号公報
【特許文献２】実用新案登録第３１４２０４７号公報
【特許文献３】実用新案登録第３１５９４３１号公報
【考案の概要】
【考案が解決しようとする課題】
【０００６】
しかしながら、実用新案登録第３００２２８４号公報（特許文献１参照）の考案においては、メッセージ板の素材として薄い板を使用しており、駐停車中における車内での使用を目的としているために、本考案のように自動車のサイドミラーに取り付けて、車外の人に対してイベントへ参加する自動車であることを伝達するために車外に装着して使用しようとすると走行時の風圧で舞い上がって、対象とする者が視認することが難しい。
また、実用新案登録第３１４２０４７号公報（特許文献２参照）の考案においては、紐（リボン）を用いて小集団の行動用として使用するものであり、細い紐の組合せのために走行中風圧で横に流されやすく、前方や後方からは視認しにくくなり、当然自動車から遠い位置からは視認しにくいという問題があった。
さらに、紐（リボン）の上部にヒモ様部分を施して自動車のサイドミラーの根元に取り付けるものであって、走行中には簡単に取り付けることができず、取付に手間や時間がかかって取り扱いが面倒である。
さらに、実用新案登録第３１５９４３１号公報（特許文献３参照）の考案においては、自動車のサイドミラーに伸縮可能な弾性紐を巻き付けるようにはめ込むものであり、弾性紐がサイドミラーの反射面を横切って視界をさえぎることとなり、交通安全の面から望ましくないということが判明した。
【０００７】
そこで本考案は、自動車から降りなくてもサイドミラーへの取り付けが簡単にできる上、サイドミラーの反射面を横切って視界をさえぎることもなく、かつ遠くからでも視認しやすいお知らせマークを提供することをその目的とするものである。
【課題を解決するための手段】
【０００８】
すなわちこの考案のお知らせマークは、走行時の風圧によって舞い上がらない重さであって、自動車の車体を傷付けない弾性表面を備えたお知らせマーク本体、およびその上端に設けた穴に通して自動車のサイドミラーの上下のフレーム部分にはめ込むフックを両端に取り付けた伸縮可能な弾性紐とを備え、前記お知らせマーク本体の表面に、前後の自動車の運転者や駐車場の係員の目印となる表示面を形成したことを特徴とするものである。
【０００９】
この考案のお知らせマークは、走行時の風圧によって舞い上がらない重さのお知らせマーク本体は、板状本体もしくは立体状本体からなることをも特徴とするものである。
【００１０】
この考案のお知らせマークは、走行時の風圧によって舞い上がらない重さのお知らせマーク本体は、当該重さを金属等の素材の重さ、もしくは素材の厚さによって得ていることをも特徴とするものである。
【００１１】
この考案のお知らせマークは、前後の自動車の運転者や駐車場の係員の目印となる表示面は、再帰反射性の反射層の形成、もしくは駐車マークその他の文字、図形、記号等の印刷やシールを貼付する等の平面形状や、凹凸その他の立体形状で構成することをも特徴とするものである。
【考案の効果】
【００１２】
この考案のお知らせマークによれば、会場よりかなり手前で一般の自動車と会場へ向かう自動車を識別できるため駐車場の係員による車の誘導が容易となり、また後続車や対向車も前車や対向車の行き先による行動がある程度予測可能となって走行車両がスムーズに流れ、渋滞の緩和にも役立つ。
しかも、この考案のお知らせマークを使用することによって仲間意識や連帯感が生まれ、譲り合いの精神を育むことができるほか、告知機能を用いて種々の広告宣伝にも利用することができる。
【００１３】
また、自動車のサイドミラーの上下のフレーム部分にはめ込むフックを両端に取り付けた伸縮可能な弾性紐（例えば細いゴム）でサイドミラーに簡単に取り付けられるため、この考案のお知らせマークは自動車から降りなくても装着することができ、サイドミラーの視界を遮ることもまったくないので安全運転に対する障害になることがない。
【００１４】
さらに、この考案のお知らせマークにおいては、厚手のゴム等からなる弾性表面を備えたお知らせマーク本体を使用しているため、使用中に自動車の車体を傷付けることがないので非常に安心である。
【図面の簡単な説明】
【００１５】
【図１】この考案のお知らせマークの１実施例を示す斜視図である。
【図２】その自動車への取付状態を示す図である。
【図３】その反射面側から見た取付状態を示す図である。
【図４】この考案のお知らせマークの第２の実施例を示す斜視図である。
【図５】この考案のお知らせマークの第３の実施例を示す斜視図である。
【考案を実施するための形態】
【００１６】
次に、本考案のお知らせマークの実施の形態を図面に基いて詳細に説明する。
図１ないし図３はこの考案のお知らせマークの１実施例を示す斜視図およびその自動車への取付状態を示す図である。
図１ないし図３において、お知らせマーク１０を形成するお知らせマーク本体１１は、約２〜５ミリメートル程度の厚さの板状に構成したものであるが、その素材はプラスチック、合成ゴム等のように多少の硬さがあって、しかも自動車の車体を傷付けない弾性表面を備える材料であることが好ましい。もちろん、芯材（図示せず）として金属芯材を内蔵していてもよい。
【００１７】
このように、走行時の風圧によって舞い上がらない重さとした板状のお知らせマーク本体１１は、当該重さを金属芯材等を用いたり、もしくはプラスチック、合成ゴム等の素材の厚さによって得ることができる。
したがって、所定の厚さとした板状のお知らせマーク本体１１は、走行時の風圧によって舞い上がらない重さを有している。
【００１８】
前記板状のお知らせマーク本体１１の上端には小穴１２が設けてあり、この小穴１２には自動車のサイドミラー２１の上下のフレーム部分２３にはめ込むフック１５，１６を両端に取り付けた伸縮可能な弾性紐１３を挿通してある。したがって、弾性紐１３を手で拡げて自動車のサイドミラー２１の上下のフレーム部分２３にはめ込むことにより、減速中であればお知らせマークを走行中でも簡単に自動車のサイドミラー２１に取り付けることができる。図中２２はサイドミラー２１の取付基部である
【００１９】
そして、前記板状のお知らせマーク本体１１の表面には、前後の自動車の運転者や駐車場の係員の目印となる表示面１４が形成してある。
なお、前記した前後の自動車の運転者や駐車場の係員の目印となる表示面１４としては、再帰反射性の反射層を形成したり、もしくは駐車マークその他の文字、図形、記号等を印刷したり、シールを貼付する等の平面形状や、凹凸その他の立体形状で構成することができる。
【００２０】
図３および図４はこの考案のお知らせマークの他の実施例を示す斜視図である。
図３において、お知らせマーク３０を形成するお知らせマーク本体３１は、長さ方向の中ほどに膨らみを持たせた立体形状（柱状）に構成したものであるが、その素材はプラスチック、合成ゴム等のように多少の硬さがあって、しかも自動車の車体を傷付けない弾性表面を備える材料であることが好ましい。
また、前記素材によって走行時の風圧によって舞い上がらない重さとした立体形状のお知らせマーク本体３１は、当該重さを金属芯材等を用いたり、もしくはプラスチック、合成ゴム等の素材の厚さによって得ることができる。
【００２１】
前記立体形状のお知らせマーク本体３１の上端には小穴３２が設けてあり、この小穴３２には自動車のサイドミラー２１の上下のフレーム部分２３にはめ込むフック３５，３６を両端に取り付けた伸縮可能な弾性紐３３を挿通してある。したがって、弾性紐３３を手で拡げて前記自動車のサイドミラー２１の上下のフレーム部分２３に前記フック３５，３６をはめ込むことにより、減速中であればお知らせマークを走行中でも簡単に自動車のサイドミラー２１に取り付けることができる。
【００２２】
そして、前記立体形状のお知らせマーク本体３１の表面には、前後の自動車の運転者や駐車場の係員の目印となる表示面３４が形成してある。
なお、前記した前後の自動車の運転者や駐車場の係員の目印となる表示面３４としては、再帰反射性の反射層を形成したり、もしくは駐車マークその他の文字、図形、記号等を印刷したり、シールを貼付することによって調製することができる。
【００２３】
図４において、お知らせマーク４０を形成するお知らせマーク本体４１は、市販の清涼飲料用の容器のような立体形状（ボトル状）に構成したものである。なお、立体形状そのものとしてはプラスチック、合成ゴム等の弾性素材を使用すれば、自動車の車体を傷付けない弾性表面を備えるものとすることができる。
上記立体形状としては、マスコットキャラクタ、フィギュア等を採用することも可能である。
また、前記素材によって走行時の風圧によって舞い上がらない重さとした立体形状のお知らせマーク本体４１は、当該重さを金属芯材等を用いたり、もしくはプラスチック、合成ゴム等の素材の厚さによって得ることができる。
【００２４】
前記立体形状のお知らせマーク本体４１の上端には小穴４２が設けてあり、この小穴４２には自動車のサイドミラー２１の上下のフレーム部分２３にはめ込むフック４５，４６を両端に取り付けた伸縮可能な弾性紐４３を挿通してある。したがって、弾性紐４３を手で拡げて前記自動車のサイドミラー２１の上下のフレーム部分２３に前記フック４５，４６をはめ込むことにより、減速中であればお知らせマークを走行中でも簡単に自動車のサイドミラー２１に取り付けることができる。
【００２５】
そして、前記立体形状のお知らせマーク本体４１の表面には、前後の自動車の運転者や駐車場の係員の目印となる表示面４４が形成してある。
なお、前記した前後の自動車の運転者や駐車場の係員の目印となる表示面４４としては、再帰反射性の反射層を形成したり、もしくは駐車マークその他の文字、図形、記号等を印刷したり、シールを貼付することによって調製することができる。
【００２６】
この考案のお知らせマークによれば、会場よりかなり手前で一般の自動車と会場へ向かう自動車をお知らせマーク１０，３０，４０の表示面１４，３４，４４によって識別できるため、駐車場の係員による車の誘導が容易となり、また後続車や対向車も前車や対向車の行き先による行動がある程度予測可能となって走行車両がスムーズに流れ、渋滞の緩和にも役立つ。
しかも、この考案のお知らせマーク１０，３０，４０を使用することによって仲間意識や連帯感が生まれ、譲り合いの精神を育むことになると思われる。
【００２７】
またお知らせマーク１０，３０，４０は、自動車のサイドミラーの上下のフレーム部分２３にはめ込むフック３５，３６ないし４５，４６を両端に取り付けた伸縮可能な弾性紐（例えば細いゴム）１３，３３，４３でサイドミラー２１に簡単に取り付けられるため、お知らせマーク１０，３０，４０は自動車から降りなくても装着することができ、サイドミラー２１の視界を遮ることもないので安全運転に対する障害になることがない。
【００２８】
さらに、この考案のお知らせマーク１０，３０，４０においては、厚手のゴム等からなる弾性表面を備えた板状のお知らせマーク本体１１，３１，４１を使用しているため、使用中に自動車の車体を傷付けることがないので非常に安心である。
【産業上の利用可能性】
【００２９】
この考案によれば、各種の音楽やスポーツイベント、販売フェア、寺社その他の祭事等で、イベント会場へ向かう自動車への適用はもちろんであるが、サイドミラーに装着するものであれば、各種の音楽やスポーツイベント、販売フェア、寺社その他の祭事等で、イベント会場へ向かう自動車への適用に限定されるものではない。
またこの考案のお知らせマークは、自動車の車体のみならず、オートバイや自転車等にも応用できることはいうまでもない。
【符号の説明】
【００３０】
１０  お知らせマーク
１１  板状本体
１２  小穴
１３  弾性紐
１４  表示面
１５，１６  フック
２１  サイドミラー
２２  取付基部
２３  フレーム部分
３０  お知らせマーク
３１  板状本体
３２  小穴
３３  弾性紐
３４  表示面
３５，３６  フック
４０  お知らせマーク
４１  板状本体
４２  小穴
４３  弾性紐
４４  表示面
４５，４６  フック
【図１】
0003161682.tif 000003
【図２】
0003161682.tif 000004
【図３】
0003161682.tif 000005
【図４】
0003161682.tif 000006
【図５】
0003161682.tif 000007